(57)【要約】【課題】製造コストの低減を図るとともに装置の小型化を図る。【解決手段】第１のリンク３６は軸４０に回動自在に支持され、カード返却用ばね４２によって反時計方向に付勢されている。第２のリンク３７は中央部がピン４１によって、第１のリンク３６に枢着されている。第２のリンク３７の下部３７ｂはホルダー４４内に摺動自在に支持され、ホルダー４４内の圧縮コイルばね３８によって矢印Ｃ方向に付勢されている。カード挿入口１５から挿入されたカードＰに追従して移動する移動板２２はピン４３を介して第２のリンク３７に連結されている。圧縮コイルばね３８によって取り込まれたカードＰはストッパピン６６に前端が係止されることによりカード処理領域に位置付けられる。ソレノイド５５のロッド５６と係合部材５３との係合を解除すると、カード返却用ばね４２によってカードＰはカード挿入口１５から返却される。【選択図】        図７
2004303006.tif 000002
【特許請求の範囲】
【請求項１】
カードを挿入および排出するカード挿入口と、
このカード挿入口と連通するカード処理通路と、
このカード処理通路内に挿入されたカードの前端が係合する被係合部を有しカードの挿入に追従して移動する移動子と、
この移動子をカード挿入口方向に付勢するカード返却用付勢手段と、
前記移動子に追従して移動しカードの後端を係止する第１の係止手段と、
この第１の係止手段によって後端が係止されたカードをカード処理通路内に取り込むタンブラー装置と、
このタンブラー装置によって取り込まれたカードの前端を係止しカードをカード処理領域に位置付ける第２の係止手段と、
前記タンブラー装置によるカードのカード処理領域への取り込み状態を解除することによりカードを前記移動子によってカード挿入口から返却するタンブラー装置解除手段と、
前記第２の係止手段による係止を解除することによりカード処理領域に位置付けられたカードを前記タンブラー装置によってカード回収可能領域に移動させる係止解除手段とを備えたことを特徴とするカード処理装置。
【請求項２】
請求項１記載のカード処理装置において、
前記カードをカード回収可能領域からカードの自重によってカード回収部に回収することを特徴とするカード処理装置。
【発明の詳細な説明】
【０００１】
【発明の属する技術分野】
本発明は、カード挿入口から挿入されたカードの情報を処理し、その処理結果によってカード挿入口から返却する場合と、カード回収部へ回収する場合とに切り替えることができるカード処理装置に関する。
【０００２】
【従来の技術】
従来のカード処理装置は、モータを駆動源として駆動ベルトを走行させ、これと対接するピンチローラとでカードを挟持することにより、カード挿入口から挿入されたカードをカード処理領域まで取り込むものがある（例えば、特許文献１，２参照）。なお、本出願人は、本明細書に記載した先行技術文献情報で特定される先行技術文献以外には、本発明に密接に関連する先行技術文献を出願時までに見付け出すことはできなかった。
【０００３】
【特許文献１】
特開２０００−１４８９１７号公報（段落「００１５」、図２）
【特許文献２】
特開２００１−５６７１５号公報（段落「００１５」、図３）
【０００４】
【発明が解決しようとする課題】
上述した従来のカード処理装置においては、駆動ベルトとピンチローラとでカードを挟持し搬送するようにしているため、長い間の使用によってカードの汚れ等が駆動ベルトやピンチローラに付着し、これらの間の摩擦係数が低下してしまい滑な搬送が行えなくなるおそれがある。このため、あらかじめ駆動ベルトとピンチローラとの間の接触圧を高く設定している。しかしながら、接触圧を高くすると駆動ベルトに加わる走行負荷が大きくなってしまうから、出力の大きいモータを使用としなければならなくなり製造コストが増大するとともに装置が大型化するという問題があった。
【０００５】
本発明は上記した従来の問題に鑑みなされたものであり、第１の目的は製造コストの低減を図ることにある。また、第２の目的は装置の小型化を図ることにある。
【０００６】
【課題を解決するための手段】
この目的を達成するために、請求項１に係る発明は、カードを挿入および排出するカード挿入口と、このカード挿入口と連通するカード処理通路と、このカード処理通路内に挿入されたカードの前端が係合する被係合部を有しカードの挿入に追従して移動する移動子と、この移動子をカード挿入口方向に付勢するカード返却用付勢手段と、前記移動子に追従して移動しカードの後端を係止する第１の係止手段と、この第１の係止手段によって後端が係止されたカードをカード処理通路内に取り込むタンブラー装置と、このタンブラー装置によって取り込まれたカードの前端を係止しカードをカード処理領域に位置付ける第２の係止手段と、前記タンブラー装置によるカードのカード処理領域への取り込み状態を解除することによりカードを前記移動子によってカード挿入口から返却するタンブラー装置解除手段と、前記第２の係止手段による係止を解除することによりカード処理領域に位置付けられたカードを前記タンブラー装置によってカード回収可能領域に移動させる係止解除手段とを備えたものである。
したがって、カード挿入口から挿入されたカードは、所定の位置までは人力によって取込ませ、以降は機械的なタンブラー装置によってカード処理領域に取り込まれカードに記録されている情報が処理される。処理されたカードは、タンブラー装置解除手段を作動させることにより、カード返却用付勢手段の付勢力によってカード挿入口から返却される。一方、カードを回収する場合には、係止解除手段を作動させることにより、第２の係止手段による係止が解除され、カードがカード処理領域からカード回収可能領域に移動する。
【０００７】
また、請求項２に係る発明は、請求項１に係る発明において、前記カードをカード回収可能領域からカードの自重によってカード回収部に回収する。
したがって、カードを回収するための移送装置が不要になる。
【０００８】
【発明の実施の形態】
以下、本発明の実施の形態を図に基づいて説明する。図１は本発明に係るカード処理装置の左カバーを取り除いた状態の外観を示す斜視図、図２は同じく正面図、図３は同じく底面図、図４（ａ）は図２における  ＩＶ（ａ）−ＩＶ（ａ）線断面図、同図（ｂ）は図２における  ＩＶ（ｂ）−ＩＶ（ｂ）線断面図、図５は同じくカード処理通路のカード処理領域とカード回収可能領域を説明するために、図４においてＶ−Ｖ  線で断面したモデル図、図６は同じくタンブラー装置、タンブラー装置解除手段、係止解除手段を抜粋して示した斜視図、図７は同じくタンブラー装置、タンブラー装置解除手段、係止解除手段を抜粋し、これらとカード処理通路との位置関係を説明するための正面図である。
【０００９】
図８は本発明に係るカード処理装置におけるシャッタ片の動作を説明するための要部の平面図で、同図（ａ）はカードの前端が移動板の被係合部に係合した状態を示し、同図（ｂ）は移動板の係合突片が差動板の被係合部に係合した状態を示す、同図（ｃ）はシャッタ片のシャッタ部がカード処理通路に臨んだ状態を示す、同図（ｄ）はカードの前、後端がストッパピンとシャッタ部とによって弾持された状態を示す。図９（ａ）は図２におけるＩＸ（ａ）−ＩＸ（ａ）  線断面図、同図（ｂ）は図２におけるＩＸ（ｂ）−ＩＸ（ｂ）  線断面図である。
【００１０】
図１０ないし図１４は本発明に係るカード処理装置におけるカードの処理動作を説明するための正面図で、図１０はカード挿入口から挿入されたカードの前端が移動板の被係合部に係合した状態を示し、図１１はタンブラー装置が中立の位置にある状態を示し、図１２はカードがカード処理領域に位置付けられた状態を示し、図１３はカード処理領域に位置付けられた状態のカードがカード挿入口から返却される状態を示し、図１４はカードがカード回収可能領域に取り込まれカード回収口から回収される状態を示す。
なお、本装置が最も多く使用される態様から、図１において、図中右側、すなわちカード挿入口１５側を前側とし、正面側、すなわち図４において下側を左側とし、図１において背面側、すなわち図４において上側を右側として説明する。
【００１１】
図１で全体を符号１で示すカード処理装置は、左側方が開口した左ガイド板２と、右側方が開口した右ガイド板３と、左ガイド板２の開口を覆う左カバー４と、右ガイド板３の開口を覆う右カバー５とによって概ね構成されている。
【００１２】
左ガイド板２の前側には、中央部が窪むように湾曲形成された表面板６が一体に設けられている。同様に右ガイド板３の前側にも、中央部が窪むように湾曲形成された表面板７が一体に設けられているとともに、この右ガイド板３と左ガイド板２とを囲む囲い壁８が一体に設けられている。
【００１３】
右ガイド板３には、図５に示すように、矢印Ａ−Ｂ方向に互いに平行となるように延在する上下２本のガイドリブ１２，１３が一体に突設されている。これら２本のガイドリブ１２，１３の間隔は、このカード処理装置１によって情報が処理される非接触ＩＣカード（以下、単にカードと略称する）Ｐの幅よりも僅かに大きく形成され、これらガイドリブ１２，１３の突出量はカードＰの厚みよりも僅かに大きく形成されている。
【００１４】
したがって、左ガイド板２と右ガイド板３とが互いに対向することにより、これら左ガイド板２および右ガイド板３と上下のガイドリブ１２，１３とによって、図４（ａ）に示すように、カードＰが矢印Ａ−Ｂ方向に移動可能なカード処理通路１１が形成される。このカード処理通路１１の矢印Ｂ方向の端部には、左ガイド板２の表面板６と右ガイド板３の表面板７によって形成され、このカード処理通路１１と連通するカード挿入口１５が設けられている。
【００１５】
カード処理通路１１は、カード挿入口１５側に設けられたカード処理領域１１Ａと、このカード処理領域１１Ａよりも矢印Ａ方向側に設けられたカード回収可能領域１１Ｂとによって形成されている。カード処理領域１１Ａに対応して、右ガイド板３の右側方の表面には、図４に示すように、カード処理部としてのアンテナ基板１６が取り付けられている。
【００１６】
また、右ガイド板３には、図５に示すように、カード処理領域１１Ａの矢印Ａ側の一端に対応して、後述するストッパピン６６が臨む一対の貫通孔１７，１７が穿孔されている。したがって、カードＰがカード挿入口１５から挿入され、後述するタンブラー装置３５によってカード処理領域１１Ａに取り込まれ、ストッパピン６６によって前端が係止されると、カードＰに記録されている情報が無線によりアンテナ基板１６によって処理される。
【００１７】
カード回収可能領域１１Ｂに対応して、下方のガイドリブ１３には細長い切欠き１３ａが設けられており、上記した右ガイド板３の囲い壁８の底部には、図３に示すように、スリット状に形成されたカード回収口１８が設けられている。したがって、カード挿入口１５から挿入され、タンブラー装置３５によってカード回収可能領域１１Ｂに取り込まれたカードＰは、自重によって切欠き１３ａを通過してカード回収口１８から落下し、図示を省略したカード回収部に回収される。
【００１８】
左ガイド板２および右ガイド板３のそれぞれには、図４（ａ）に示すように、カード処理通路１１の略中央部から矢印Ａ側の端部まで延設された細長い長方形に形成されたガイド孔２０，２１が穿設されている。２２は細長い長方形に形成された移動子としての移動板であって、矢印Ａ方向の端部には直角に折り曲げるように形成した被係合部２２ａが設けられている。
【００１９】
この移動板２２は、左ガイド板２の左側方の表面に対接するようにして、ガイド孔２０，２１に沿って矢印Ａ−Ｂ方向に移動自在に支持されており、カード挿入口１５から挿入されたカードＰの前端が被係合部２２ａに係合するように、被係合部２２ａがガイド孔２０からカード処理通路１１に臨んでいる。
【００２０】
また、この移動板２２の上端の略中央部には、図７に示すように、後述する差動板２５の被係合部２５ａに係合して差動板２５を矢印Ａ方向に移動させる係合突片２２ｂが突設されており、移動板２２の矢印Ｂ方向側には、上下方向に延在する長孔２２ｃが穿孔されている。
【００２１】
差動板２５は、図７に示すように、細長い長方形に形成され、矢印Ａ方向の端部には、図６に示すように、右側方に向かって突設された被係合部２５ａが設けられている。この差動板２５は、左ガイド板２の左側方の表面に被係合部２５ａの突出量だけ離間するようにして対向し、上記した移動板２２の上端に沿って矢印Ａ−Ｂ方向に移動自在に支持されている。この差動板２５の被係合部２５ａと、上記した移動板２２の係合突片２２ｂとの間は、図７に示すように、矢印Ａ−Ｂ方向に間隔Ｌだけ離間している。
【００２２】
図９（ａ）において、２７は細長い長方形に形成されたシャッタ片であって、このシャッタ片２７における矢印Ｂ方向の端部には、右側方に向かって折り曲げられるように形成したシャッタ部２９が設けられており、両側部には、同図（ｂ）に示すように、ボス２７ａ，２７ａが突設されている。
【００２３】
このシャッタ片２７は、差動板２５の矢印Ｂ方向の端部に、矢印Ａ−Ｂ方向に僅かな遊びを有して枢着され、かつ差動板２５との間には、図８に示すように、後述するストッパピン６６とともにカードＰを保持する機能と、カード返却時にカード返却を補助する機能を併せもつ引張りコイルばね３２が懸架されている。
【００２４】
左カバー４の矢印Ｂ方向側には、図９（ｂ）に示すように、左ガイド板２側に向かって立設されたカム片３１が一体形成され、このカム片３１には、傾斜案内部３１ａと、これと連設され左ガイド板２に対向する水平案内部３１ｂとが形成されている。
【００２５】
差動板２５に連結されたシャッタ片２７は、後述するようにカードＰがカード挿入口１５から挿入されていない初期の状態において、図９（ｂ）に示すように、ボス２７ａが引張りコイルばね３２の引張力によって、カム片３１の傾斜案内部３１ａに係合するため、同図（ａ）に示すように、シャッタ部２９がカード処理通路１１から退避している。
【００２６】
一方、後述するように、差動板２５が矢印Ａ方向に移動することにより、シャッタ片２７が矢印Ａ方向に移動すると、ボス２７ａが傾斜案内部３１ａから水平案内部３１ｂに係合するため、シャッタ部２９が、同図（ａ）において、左ガイド板２に形成した切欠き３３からカード処理通路１１内に進出する。
【００２７】
図６および図７に符号３５で示すタンブラー装置は、扇形状に形成された第１のリンク３６と、上部３７ａが扇形状に形成され下部３７ｂが角柱状に形成された第２のリンク３７と、この第２のリンク３７を矢印Ｃ方向に付勢する付勢手段としての圧縮コイルばね（カード取込み用付勢手段）３８とによって概ね構成されている。
【００２８】
ここで、「Ｃ方向」とは、説明の便宜上、第２のリンク３７の下部３７ｂの軸線に沿った上方の方向を意味するもので、この後、動作の説明において、第２のリンク３７の傾きに変化するのに追従して、「Ｃ方向」の指向方向も変化する。
【００２９】
第１のリンク３６は、基端部が軸４０を介して左カバー４に回動自在に支持されており、回動端部である周端部の中央部にピン４１が植設されている。このピン４１と左カバー４との間にカード返却用付勢手段としての引張りコイルばね４２が介装されており、この引張りコイルばね４２の引張力によって、第１のリンク３６は軸４０を回動中心として図７中反時計方向に付勢されている。
【００３０】
第２のリンク３７の中央部はピン４１に枢着され、上部３７ａの周端部の中央部にはピン４３が植設されており、このピン４３が上記した移動板２２の長孔２２ｃ内に臨んでいる。このピン４３は、このピン４３と前記ピン４１とを結んだ結線が下部３７ｂの軸線と一致する位置に位置付けられているとともに、このピン４３と軸４０とを結ぶ結線が矢印Ａ−Ｂ方向と一致するように位置付けられている。
【００３１】
４４は有底角筒状に形成されたホルダーであって、両側部に小軸４５，４５が一体に突設されており、これら小軸４５，４５が後述する長孔５２内に臨み、かつ保持レバー５１によって保持されることによって小軸４５，４５を回動中心として回動自在に支持される。このホルダー４４内には、第２のリンク３７の下部３７ｂが係入され、この下部３７ｂがホルダー４４によって下部３７ｂの軸線方向に摺動自在に支持されている。
【００３２】
したがって、後述するようにピン４３を介して第２のリンク３７が矢印Ａ方向に押圧され、ピン４１を介して下部３７ｂがホルダー４４内を移動することにより、矢印Ａ方向に移動するピン４３は、スコット・ラッセル近似平行運動によって矢印Ａ方向に直線運動を行う。第２のリンク３７の下部３７ｂの下端とホルダー４４の底部との間には、圧縮コイルばねであるカード取込み用ばね３８が弾装されており、このカード取込み用ばね３８の弾発力によって、第２のリンク３７は矢印Ｃ方向、すなわち下部３７ｂの軸線方向に付勢されている。
【００３３】
このような構造を採ることにより、ピン４３が矢印Ａ方向に押圧されると、動支点としてのピン４３が、第２のリンク３７の回動支点である小軸４５と定支点としての軸４０を結んだ境界線Ｇに達するまでは、カード取込み用ばね３８の弾発力がピン４３を矢印Ｂ方向へ付勢する方向に作用する。
【００３４】
ピン４３が境界線Ｇ上に達すると、カード取込み用ばね３８の弾発力が最大となるが、ピン４３は矢印Ａ、Ｂのいずれの方向にも移動しない中立の位置に位置付けられる。この状態からピン４３が境界線Ｇを越え矢印Ａ方向に押圧されると、カード取込み用ばね３８の弾発力がピン４３を矢印Ａ方向に付勢する方向に作用する。
【００３５】
次に、図６および図７を用いて、タンブラー装置３５を解除するタンブラー装置解除手段５０について説明する。
【００３６】
タンブラー装置解除手段５０は、ホルダー４４の小軸４５を保持する保持レバー５１と、小軸４５を移動可能とする長孔５２と、保持レバー５１の基端部に固定された係合部材５３と、この係合部材５３に係合するロッド５６を備えたソレノイド５５とによって概ね構成されている。
【００３７】
保持レバー５１の基端部は、左カバー４と左ガイド板２との間に横架された軸５７に回動自在に支持されており、左ガイド板２との間に懸架した引張りコイルばね５８によって軸５７を回動中心として図中反時計方向に付勢されている。長孔５２は、上下方向に延在するように、左カバー４と左ガイド板２とに互いに対向して設けられており、これら長孔５２，５２に、上記したホルダー４４の小軸４５，４５が臨んでいる。
【００３８】
係合部材５３には、ロッド５６が係合する係合部５９が設けられており、ロッド５６が前進して係合部５９に係合することにより、ホルダー４４の小軸４５が長孔５２の上端に位置付けられて、保持レバー５１が水平状態に保持される。
【００３９】
一方、ソレノイド５５が作動しロッド５６が後退して係合部５９との係合が解除されると、保持レバー５１は軸５７を回動中心として回動可能な状態になる。したがって、この状態で仮に、カード取込み用ばね３８に弾発力が蓄積されていると、その弾発力によって保持レバー５１は軸５７を回動中心として図中時計方向に回動し、小軸４５が長孔５２内を下降する。
【００４０】
次に、図６および図７を用いて、タンブラー装置３５によって取り込まれたカードＰの前端を係止しカードＰをカード処理領域１１Ａに位置付ける第２の係止手段６６と、この第２の係止手段による係止を解除する係止解除手段７０について説明する。
【００４１】
図６において、６０は側面視Ｌ字状に形成されたレバーであって、基端部６１とこれと直交する回動端部６２とによって形成されており、右ガイド板３に設けた軸受部６４，６４間に横架された軸６５に基端部６１が回動自在に支持されている。
【００４２】
回動端部６２には一対の第２の係止手段としてのストッパピン６６，６６が一体に突設されており、これらストッパピン６６，６６は、レバー６０が回動することにより、右ガイド板３の貫通孔１７，１７からカード処理通路１１に臨むように構成されている。
【００４３】
係止解除手段としてのソレノイド７０は、右ガイド板３の囲い壁８に固定されており、ロッド７１がピン７２を介してレバー６０の基端部６１に枢着されている。このソレノイド７０の非励磁によりロッド７１が前進すると、レバー６０が回動してストッパピン６６，６６が右ガイド板３の貫通孔１７，１７からカード処理通路１１に臨み、励磁によりロッド７１が後退すると、ストッパピン６６，６６がカード処理通路１１から退避する。
【００４４】
次に、図７および図８ならびに図１０ないし図１４を用いて、このように構成されたカード処理装置におけるカードの処理動作を説明する。
【００４５】
図７に示すように、予めソレノイド５５のロッド５６が前進し係合部材５３の係合部５９に係合しており、保持レバー５１によって小軸４５が長孔５２の上端に位置付けられている。また、レバー６０のストッパピン６６が貫通孔１７，１７からカード処理通路１１内に臨んでいる。また、シャッタ片２７のシャッタ部２９が、図８（ａ）に示すように、カード処理通路１１から退避している。
【００４６】
この状態で、カードＰをカード挿入口１５からカード処理通路１１内に矢印Ａ方向に挿入すると、カードＰの前端が移動板２２の被係合部２２ａに当接する。さらにカードＰを矢印Ａ方向に挿入するとカードＰの前端が移動板２２の被係合部２２ａを矢印Ａ方向に押圧するから、図１０に示すように、移動板２２が矢印Ａ方向への移動を開始し、ピン４３を介して第２のリンク３７の下部３７ｂがホルダー４４内を下降するため、カード取込み用ばね３８が圧縮される。同時に、ピン４１を介して第１のリンク３６が軸４０を回動中心として図中時計方向に回動するから、カード返却用付勢手段である引張りコイルばね４２が伸長する。
【００４７】
さらに、カードＰを矢印Ａ方向に挿入すると、移動板２２の長孔２２ｃに臨むピン４３は、いわゆるスコット・ラッセル近似平行運動によって矢印Ａ方向に移動し、図１１に示すように、軸４０に重なるようにして境界線Ｇ上に位置して中立の状態が維持される。このとき、第１のリンク３６が軸４０を回動中心として図中時計方向に回動しているため、引張りコイルばね４２には引張力が蓄積される。
【００４８】
また、ピン４３が矢印Ａ方向に直線運動し、ホルダー４４の小軸４５が保持レバー５１によって矢印Ｄ方向への移動を規制されていることにより、第２のリンク３７が矢印Ｄ方向に移動するため、圧縮コイルばね３８が圧縮されて圧縮コイルばね３８に弾発力が蓄積される。また、この状態のとき移動板２２の係合突片２２ｂが差動板２５の被係合部２５ａに係合する。
【００４９】
この中立の状態から、さらにカードＰを矢印Ａ方向に挿入すると、タンブラー装置３５の圧縮コイルばね３８に蓄積された弾発力によって第２のリンク３７が矢印Ｃ方向に移動するから、矢印Ａ方向に移動するピン４３を介して移動板２２が矢印Ａ方向に移動する。
【００５０】
このとき、移動板２２の係合突片２２ｂが係合している被係合部２５ａの差動板２５が矢印Ａ方向に移動するから、図８（ｃ）に示すように、シャッタ片２７のボス２７ａが傾斜案内部３１ａから水平案内部３１ｂに案内されるためシャッタ部２９がカード処理通路１１に臨む。
【００５１】
シャッタ片２７が移動板２２に追従して矢印Ａ方向に移動することにより、シャッタ部２９がカードＰの後端に係合するから、カードＰはこのシャッタ部２９によって矢印Ａ方向に移動し、同図（ｄ）に示すように、前端がストッパピン６６に係止されることにより、カード処理領域１１Ａに位置付けられて停止する。したがって、シャッタ片２７のシャッタ部２９が、カードＰの後端を係止する第１の係止手段を構成する。
【００５２】
この後も、移動板２２は僅かに矢印Ａ方向に移動するため、カードＰの後端にシャッタ部２９が係合しているシャッタ片２７は、差動板２５との間の遊び分だけ矢印Ｂ方向に移動する。したがって、差動板２５とシャッタ片２７との間に懸架された引張りコイルばね３２が伸長し、引張りコイルばね３２に引張力が蓄積されるため、カードＰはストッパピン６６とシャッタ部２９とによって弾持される。このとき、カードＰの後端がカード処理通路１１内に位置付けられるため、カード処理中に誤ってカードＰをカード処理通路１１から抜き取られることを防止できる。
【００５３】
ピン４３が矢印Ａ方向に移動する間、第２のリンク３７の下部３７ｂがホルダー４４内を摺動し、このホルダー４４が小軸４５を回動中心として回動自在に支持されているため、ホルダー４４がピン４３の移動に追従して第２のリンク３７の下部３７ｂの軸線方向と一致した状態を保持しながら回動する。
【００５４】
したがって、ホルダー４４内に収納された圧縮コイルばね３８も、常に第２のリンク３７の下部３７ｂの軸線方向と一致した状態が保持されるから、ピン４３が移動中に、圧縮コイルばね３８によって第２のリンク３７を曲げるような分力が発生しない。このため第２のリンク３７を破損したりすることがないばかりか、第２のリンク３７を付勢するときに荷重損失が発生しない。
【００５５】
また、移動板２２には、ピン４３が臨む孔を長孔２２ｃとしたことにより、タンブラー装置３５を構成する各構成部品間に組付け誤差が発生していたとしても、移動板２２が矢印Ａ方向に移動するとき、動作不良が発生するようなことがなく円滑に移動する。
【００５６】
また、第１のリンク３６を扇形に形成し、第２のリンク３７の上部３７ａを扇形に形成し、移動中に両リンク３６，３７が常に重なった状態としたことにより、両リンク３６，３７に反り等が発生し、移動中に両リンク３６，３７の端面どうしが係合して動作不良となるようなことも防止できる。
【００５７】
カードＰがカード処理通路１１のカード処理領域１１Ａに取り込まれた状態において、引張りコイルばね４２はカードを返却するだけの引張力が蓄積される。一方、圧縮コイルばね３８には、この引張りコイルばね４２に蓄積された引張力よりも大きなカード取込み用の弾発力が残されている。
【００５８】
このようにしてカード処理領域１１Ａに取り込まれたカードＰは、アンテナ基板１６によってカードＰに記録された情報の処理が行われる。このとき、故意または誤って、２枚目のカードがカード挿入口１５から挿入されても、シャッタ片２７のシャッタ部２９がカード処理通路１１内に進出した状態が保持されているから、このシャッタ部２９によって２枚目のカードのカード処理通路１１内への挿入を規制するので、１枚目のカードＰのカード処理に支障をきたすようなことがない。
【００５９】
カードＰに記録された情報の処理が終了したら、カードＰをカード挿入口１５から返却するかまたはカードＰを回収する。カードＰをカード挿入口１５から返却する場合には、図１３に示すように、タンブラー装置解除手段５０のソレノイド５５を作動させロッド５６を後退させることにより、ロッド５６と係合部材５３の係合部５９との係合を解除する。
【００６０】
したがって、保持レバー５１がピン５７を回動中心として回動可能な状態となるため、第２のリンク３７を上方に付勢している圧縮コイルばね３８に蓄積された弾発力によって、ホルダー４４が下方に押圧される。したがって、小軸４５が長孔５２内を下方に摺動してホルダー４４が下方に移動するから、カード取込み用付勢手段としての圧縮コイルばね３８に蓄積されていた弾発力が解放される。
【００６１】
一方、カード返却用付勢手段としての引張りコイルばね４２の引張力は蓄積されているから、この引張りコイルばね４２の引張力によって、第１のリンク３６が軸４０を回動中心として反時計方向に回動する。第１のリンク３６とピン４１を介して連結された第２のリンク３７のピン４３が矢印Ｂ方向に移動するから、移動板２２も矢印Ｂ方向に移動し、移動板２２の被係合部２２ａがカードＰの前端に係合する。
【００６２】
このとき、差動板２５とシャッタ片２７との間に懸架された引張りコイルばね３２に引張力が蓄積されているから、この引張力によって差動板２５が矢印Ｂ方向に引っ張られる。このため、差動板２５の被係合部２５ａに係合突片２２ｂが係合している移動板２２も矢印Ａ方向に移動するから、引張りコイルばね３２が引張りコイルばね４２によるカード返却動作を補助するカード返却用の補助ばねとして機能する。
【００６３】
したがって、カードＰは移動板２２によって矢印Ｂ方向に移動するから、カードＰの後端にシャッタ部２９が係合しているシャッタ片２７もカードＰに追従して矢印Ｂ方向に移動し、図８（ｂ）に示すように、ボス２７ａが傾斜案内部３１ａに臨む。このため、シャッタ部２９がカード処理通路１１から退避するから、シャッタ部２９とカードＰの後端との係合が解除するため、カードＰはカード挿入口１５から排出される。
【００６４】
カードＰがカード挿入口１５から排出されると、タンブラー装置３５は、図７に示すような初期の状態に復帰し、保持レバー５１も引張りコイルばね５８の引張力によって水平状態に復帰して、係合部材５３の係合部５９がソレノイド５５のロッド５６と係合可能な状態に位置付けられる。
【００６５】
一方、カード処理領域１１Ａにおいてアンテナ基板１６によって情報が処理された結果、カードＰを回収する必要が生じたら、係止解除手段としてのソレノイド７０を作動させロッド７１を後退させることにより、ストッパピン６６をカード処理通路１１から退避させる。
【００６６】
このとき、上述したように、圧縮コイルばね３８には、引張りコイルばね４２の引張力よりも大きなカード取込み用の弾発力が残されているから、図１４に示すように、第２のリンク３７が矢印Ｃ方向に移動させられるので、ピン４１を介して第１のリンク３６が軸４０を回動中心として時計方向に回動する。
【００６７】
したがって、第１のリンク３６とピン４１を介して連結された第２のリンク３７のピン４３は矢印Ａ方向に移動するから、移動板２２の係合突片２２ｂに被係合部２５ａが係合している差動板２５も矢印Ａ方向に移動する。差動板２５と引張りコイルばね３２を介して連結されたシャッタ片２７も矢印Ａ方向に移動するから、シャッタ部２９に後端が係合しているカードＰは、矢印Ａ方向に移動してカード回収可能領域１１Ｂに位置付けられる。
【００６８】
カード回収可能領域１１Ｂに位置付けられたカードＰは、自重によってカード回収口１８から落下し図示を省略したカード回収部に回収される。このように、カードの自重によってカード回収口１８からカード回収部に回収するようにしたことにより、カードを回収するための移送装置が不要になるから、部品点数を削減できるばかりではなく構造も簡素化することができる。
【００６９】
また、カードＰを搬送するためのベルトやローラ等が不要になるため、これらを駆動する高価なモータも不要になるから、製造コストの低減を図ることができるばかりではなく、装置の小型化も図ることができる。
【００７０】
図１５は本発明の第２の実施の形態を示す平面図で、同図（ａ）はカードをカード回収可能領域に位置付けた状態を示し、同図（ｂ）はカードを回収する状態を示す。
【００７１】
この第２の実施の形態においては、カード処理装置１を上述した第１の実施の形態のようにカードＰを垂直状態にて挿入するのではなく、水平状態で使用する例を示したものである。この場合には、カードＰを自重によってカード回収口１８から落下させて回収することができないため、カード移送装置７９を付設している。
【００７２】
すなわち、カード移送装置７９は、右ガイド板３の囲い壁８にブラケットを介して取り付けられた駆動源であるモータ８０と、このモータ８０によって旋回する旋回部材８４とによって構成されている。旋回部材８４は略円弧状に形成されており、囲い壁８に取り付けられた支持板に植設された軸８３を回動中心として回動自在に支持されている。
【００７３】
この旋回部材８４の内周部には、モータ８０の出力軸に軸着されたピニオン８１に噛合する内歯車８６が形成され、一端にカード押圧子８５が設けられている。このような構成において、カード挿入口１５から挿入され、タンブラー装置３５によってカード回収可能領域１１ＢにカードＰが位置付けられると、モータ８０が駆動しピニオン８１が図中時計方向に回転する。
【００７４】
したがって、ピニオン８１と噛合する内歯車８６を介して旋回部材８４が軸８３を回動中心として、図中時計方向に回動するため、カード押圧子８５がカードＰの上端に係合するから、このカード押圧子８５によってカードＰが図中下方に移動する。このため、同図（ｂ）に示すように、カードＰがカード回収口１８から排出され図示を省略したカード回収部に回収される。
【００７５】
なお、本実施の形態においては、第１のリンク３６を扇形状に形成し、第２のリンク３７の上部３７ａを扇形状に形成したが、これら第１および第２のリンク３６，３７を棒状に形成してもよい。
【００７６】
【発明の効果】
以上説明したように、請求項１に係る発明によれば、製造コストを低減することができるばかりではなく、装置の小型化も図ることができる。
【００７７】
また、請求項２に係る発明によれば、部品点数を削減できるばかりではなく構造も簡素化することができる。
【図面の簡単な説明】
【図１】本発明に係るカード処理装置の左カバーを取り除いた状態の外観を示す斜視図である。
【図２】本発明に係るカード処理装置の左カバーを取り除いた状態の外観を示す正面図である。
【図３】本発明に係るカード処理装置の底面図である。
【図４】同図（ａ）は図２における  ＩＶ（ａ）−ＩＶ（ａ）線断面図、同図（ｂ）は図２における  ＩＶ（ｂ）−ＩＶ（ｂ）線断面図である。
【図５】本発明に係るカード処理装置におけるカード処理通路のカード処理領域とカード回収可能領域を説明するために、図４においてＶ−Ｖ  線で断面したモデル図である。
【図６】本発明に係るカード処理装置におけるタンブラー装置、タンブラー装置解除手段、係止解除手段を抜粋して示した斜視図である。
【図７】本発明に係るカード処理装置において、タンブラー装置、タンブラー装置解除手段、係止解除手段を抜粋し、これらとカード処理通路との位置関係を説明するための正面図である。
【図８】本発明に係るカード処理装置におけるシャッタ片の動作を説明するための要部の平面図で、同図（ａ）はカードの前端が移動板の被係合部に係合した状態を示し、同図（ｂ）は移動板の係合突片が差動板の被係合部に係合した状態を示す、同図（ｃ）はシャッタ片のシャッタ部がカード処理通路に臨んだ状態を示す、同図（ｄ）はカードの前、後端がストッパピンとシャッタ部とによって弾持された状態を示す。
【図９】図９（ａ）は図２におけるＩＸ（ａ）−ＩＸ（ａ）  線断面図、同図（ｂ）は図２におけるＩＸ（ｂ）−ＩＸ（ｂ）  線断面図である。
【図１０】本発明に係るカード処理装置におけるカードの処理動作を説明するための正面図で、カード挿入口から挿入されたカードの前端が移動板の被係合部に係合した状態を示す。
【図１１】本発明に係るカード処理装置におけるカードの処理動作を説明するための正面図で、タンブラー装置が中立の位置にある状態を示す。
【図１２】本発明に係るカード処理装置におけるカードの処理動作を説明するための正面図で、カードがカード処理領域に位置付けられた状態を示す。
【図１３】本発明に係るカード処理装置におけるカードの処理動作を説明するための正面図で、カード処理領域に位置付けられた状態のカードがカード挿入口から返却される状態を示す。
【図１４】本発明に係るカード処理装置におけるカードの処理動作を説明するための正面図で、カードがカード回収可能領域に取り込まれカード回収口から回収される状態を示す。
【図１５】本発明の第２の実施の形態を示す平面図で、同図（ａ）はカードをカード回収可能領域に位置付けた状態を示し、同図（ｂ）はカードを回収する状態を示す。
【符号の説明】
１…カード処理通路、２…左ガイド板、３…右ガイド板、４…左カバー、１１…カード処理通路、１１Ａ…カード処理領域、１１Ｂ…カード収納可能領域、１２，１３…ガイドリブ、１３ａ…切欠き、１５…カード挿入口、１６…アンテナ基板、１８…カード回収口、２２…移動板、２２ａ…被係合部、２２ｂ…係合突片、２５…差動板、２５ａ…被係合部、２７…シャッタ片、２９…シャッタ部、３２…カード返却用補助ばね、３５…タンブラー装置、３６…第１のリンク、３７…第２のリンク、３８…カード取込み用ばね、４２…引張りコイルばね（カード返却用付勢手段）、４４…ホルダー、４５…ピン、５０…タンブラー装置解除手段、５１…保持レバー、５２…長孔、５３…係合部材、５５…ソレノイド、５６…ロッド、６０…レバー、６６…ストッパピン（第２の係止手段）、７０…ソレノイド（係止解除手段）、７１…ロッド、７９…カード移送装置、８０…モータ、８４…旋回部材、８５…カード押圧子。
【図１】
2004303006.tif 000003
【図２】
2004303006.tif 000004
【図３】
2004303006.tif 000005
【図４】
2004303006.tif 000006
【図５】
2004303006.tif 000007
【図６】
2004303006.tif 000008
【図７】
2004303006.tif 000009
【図８】
2004303006.tif 000010
【図９】
2004303006.tif 000011
【図１０】
2004303006.tif 000012
【図１１】
2004303006.tif 000013
【図１２】
2004303006.tif 000014
【図１３】
2004303006.tif 000015
【図１４】
2004303006.tif 000016
【図１５】
2004303006.tif 000017